(57)【特許請求の範囲】
【請求項１】
前側にボールを打撃するフェースを具えたパター型ゴルフクラブヘッドであって、
前記フェース側に凹部が設けられたヘッド本体と、該ヘッド本体の凹部に装着される弾性材料からなるフェースインサートとを具え、
前記フェースインサートは、最も前側に配された第１層と、最も後側に配された第３層と、前記第１層と前記第３層との間に挟まれた第２層とからなる３層構造を有し、
前記第１層、第２層及び第３層の硬度をそれぞれｈ１、ｈ２及びｈ３、並びに反発弾性率をｒ１、ｒ２及びｒ３とするとき、下記の関係を満足することを特徴とするパター型ゴルフクラブヘッド。
ｈ２＜ｈ１≦ｈ３
ｒ１＞ｒ２
ｒ１＞ｒ３
【請求項２】
前記第２層の厚さは、フェースインサートの全体の厚さの２０〜３５％である請求項１記載のパター型ゴルフクラブヘッド。
【請求項３】
前記第１層は、トウ・ヒール方向にのびる板状の基部と、該基部から後方にのびる複数本の軸部材とを含み、
少なくとも前記第２層は、前記軸部材が挿入される孔部を具える請求項１又は２記載のパター型ゴルフクラブヘッド。
【請求項４】
前記第３層は、前記軸部材が挿入される孔部を具え、
前記軸部材は、前記第２層及び第３層を貫通して後方にのびる少なくとも１本の長軸部材を含む請求項３記載のパター型ゴルフクラブヘッド。
【請求項５】
前記軸部材は、前記第２層のみを貫通し前記第３層の前面に接触して終端する少なくとも１本の短軸部材を含む請求項３又は４記載のパター型ゴルフクラブヘッド。
【請求項６】
請求項１乃至５のいずれかのパター型ゴルフクラブヘッドを具えたパター型ゴルフクラブ。
【発明の詳細な説明】
【技術分野】
【０００１】
本発明は、良好な打球感が得られるパター型ゴルフクラブヘッド及びパター型ゴルフクラブに関する。
【背景技術】
【０００２】
近年、パター型ゴルフクラブヘッドとして、金属製のヘッド本体の凹部に弾性材料からなるフェースインサートを配したものが知られている。このようなパター型ゴルフクラブヘッドは、柔らかい打球感が得られる。
【０００３】
従来、パターの打球感をよりソフトなものにするために、下記特許文献１等では、弾性材料としてエラストマーを用いたフェースインサートが提案されている。しかしながら、柔らかいフェースインサートを用いた場合、ボールの打出し方向が微妙にズレたり（方向性の悪化）、望ましくない余計なスピンが生じるおそれがある。
【０００４】
上記不具合を解決するために、下記特許文献２では、フェースインサートを２層構造とし、そのフェース側に相対的に硬い弾性材料を用いることが提案されている。しかし、このようなパター型ゴルフクラブヘッドでは、ソフトな打球感は得られ難い。
【先行技術文献】
【特許文献】
【０００５】
【特許文献１】特開平８−１９６６６８号公報
【特許文献２】特開２００４−２３６９８５号公報
【発明の概要】
【発明が解決しようとする課題】
【０００６】
本発明は、以上のような実情に鑑み案出なされたもので、フェースインサートを３層構造とするとともに、各層の硬さ及び反発弾性率を規定することにより、ボールの転がり距離や方向を高いレベルに維持しつつ良好な柔らかい打球感を維持しうるパター型ゴルフクラブヘッド及びパター型ゴルフクラブを提供することを目的としている。
【課題を解決するための手段】
【０００７】
本発明のうち請求項１記載の発明は、前側にボールを打撃するフェースを具えたパター型ゴルフクラブヘッドであって、前記フェース側に凹部が設けられたヘッド本体と、該ヘッド本体の凹部に装着される弾性材料からなるフェースインサートとを具え、前記フェースインサートは、最も前側に配された第１層と、最も後側に配された第３層と、前記第１層と前記第３層との間に挟まれた第２層とからなる３層構造を有し、前記第１層、第２層及び第３層の硬度をそれぞれｈ１、ｈ２及びｈ３、並びに反発弾性率をｒ１、ｒ２及びｒ３とするとき、下記の関係を満足することを特徴とする。
ｈ２＜ｈ１≦ｈ３
ｒ１＞ｒ２
ｒ１＞ｒ３
【０００８】
また請求項２記載の発明は、前記第２層の厚さは、フェースインサートの全体の厚さの２０〜３５％である請求項１記載のパター型ゴルフクラブヘッドである。
【０００９】
また請求項３記載の発明は、前記第１層は、トウ・ヒール方向にのびる板状の基部と、該基部から後方にのびる複数本の軸部材とを含み、少なくとも前記第２層は、前記軸部材が挿入される孔部を具える請求項１又は２記載のパター型ゴルフクラブヘッドである。
【００１０】
また請求項４記載の発明は、前記第３層は、前記軸部材が挿入される孔部を具え、前記軸部材は、前記第２層及び第３層を貫通して後方にのびる少なくとも１本の長軸部材を含む請求項３記載のパター型ゴルフクラブヘッドである。
【００１１】
また請求項５記載の発明は、前記軸部材は、前記第２層のみを貫通し前記第３層の前面に接触して終端する少なくとも１本の短軸部材を含む請求項３又は４記載のパター型ゴルフクラブヘッドである。
【００１２】
また請求項６記載の発明は、請求項１乃至５のいずれかのパター型ゴルフクラブヘッドを具えたパター型ゴルフクラブである。
【発明の効果】
【００１３】
本発明では、ヘッド本体に装着されたフェースインサートを、フェース側から第１層、第２層及び第３層の３層構造とし、
ａ）第２層の硬度を最も小さくする
ｂ）第３層の硬度は、第１層の硬度以上とする
ｃ）第１層の反発弾性率を、第２層及び第３層の反発弾性率よりも大きくする
という３つの関係を同時に満足させることにより、ボールの転がり距離や方向を高いレベルに維持しつつ柔らかい打球感を両立させることができる。
【図面の簡単な説明】
【００１４】
【図１】本実施形態のパター型ゴルフクラブヘッドの分解斜視図である。
【図２】そのフェースインサートの分解斜視図である。
【図３】パター型ゴルフクラブヘッドの正面図である
【図４】図３のＸ−Ｘ断面図である。
【図５】図３のＹ−Ｙ断面図である。
【図６】（ａ）乃至（ｃ）は、フェースインサートの製法を説明する断面図である。
【図７】実打テストの要領を示す線図である。
【発明を実施するための形態】
【００１５】
以下、本発明の実施の一形態が図面に基づき説明される。
図１に示されるように、本実施形態のパター型ゴルフクラブヘッド（以下、単に「パターヘッド」という。）１は、前側にボールを打撃するフェース２を具えている。
【００１６】
前記フェース２は、平面からなり、トウＴ及びヒールＨの方向（水平方向）に長い略横長矩形状で構成されている。また、フェース２は、例えば１〜３度程度の小さなロフト角で後傾している。
【００１７】
また、パターヘッド１は、フェース２側に凹部３が設けられたヘッド本体１Ａと、該ヘッド本体１Ａの凹部３に装着される弾性材料からなるフェースインサート１Ｂとから構成されている。
【００１８】
前記ヘッド本体１Ａは、好適にはアルミニウム合金、ステンレス、チタン又は軟鉄等の金属材料からなり、前記フェース２の上縁、下縁、トウ側縁及びヒール側縁からそれぞれ後方にのびる扁平な略ブロック状で形成されている。該ヘッド本体１Ａは、鋳造、鍛造又は削り出し等、種々の方法で製造される。また、例えば、ヘッド本体１Ａの上面には、クラブシャフトＳの下端が固着される。
【００１９】
前記凹部３は、フェース２のトウ・ヒール方向及び上下方向の主要部に亘って形成されており、凹部３の輪郭を区画する環状の内周面３ａと、該内周面３ａをヘッド内部側で閉じる底面３ｂとを有する。このような凹部３は、フェース２から窪んだ有底の空間を形成する。本実施形態の凹部３は、フェース２の輪郭にほぼ沿ってトウ・ヒール方向に長い横長の矩形状で形成されているが、このような態様に限定されるものではない。なお、ヘッド本体１Ａの前面かつ凹部３の周囲には、環状に連続する前面縁部４が形成される。
【００２０】
前記フェースインサート１Ｂは、フェース２側に露出して配される前面５と、その反対側の面である後面７と、前面５と後面７との間を継いで環状にのびる外周面６とを有するブロック状で形成されている。該フェースインサート１Ｂは、後面７が凹部３の底面３ｂに、外周面６が凹部３の内周面３ａにそれぞれ向き合わされ、かつ、好ましい態様では密着して配置される。そして、フェースインサート１Ｂをヘッド本体１Ａの凹部３に装着することにより、フェースインサート１Ｂの前面５とヘッド本体１Ａの前面縁部４とは、実質的に単一の平面をなし、これにより前記フェース２が形成される。なお、フェースインサート１Ｂは、両面テープや接着剤などを用いてヘッド本体１Ａの凹部３に固着される。
【００２１】
前記フェースインサート１Ｂは、図２に分解して示されるように、最も前側に配された第１層８と、最も後側に配された第３層１０と、第１層８と第３層１０との間に挟まれた第２層９とからなる３層構造を有している。そして、本発明では、第１層８、第２層１０及び第３層９の硬度をそれぞれｈ１、ｈ２及びｈ３、並びに反発弾性率をｒ１、ｒ２及びｒ３とするとき、下記の関係を満足することを特徴とする。
ｈ２＜ｈ１≦ｈ３
ｒ１＞ｒ２
ｒ１＞ｒ３
【００２２】
即ち、発明者らは、種々の実験の結果、
ａ）第２層９の硬度を最も小さくする
ｂ）第３層１０の硬度は、第１層の硬度以上とする
ｃ）第１層８の反発弾性率を、第２層９及び第３層１０の反発弾性率よりも大とする
という３つの関係を満足させることにより、ボールの転がり距離や方向を高いレベルに維持しつつ柔らかい打球感を両立させ得ることを知見した。即ち、本発明では、上記ａ乃至ｃの３条件を同時に満足させることにより、ボールの転がり距離や方向を高いレベルに維持しつつ柔らかい打球感を両立させるものである。
【００２３】
とりわけ、条件ａ及びｂ、即ち、中間に位置する第２層９を最も柔らかくし、かつ、その前後に位置する第１層８及び第３層１０を相対的に硬くすることにより、打球感を良好に維持しつつボール打撃時のフェースインサートのたわみが適度に抑制される。また、条件ｃによって、ボールと直接接触する第１層８の反発弾性率を最も大きくすることにより、ボール打撃時、いわゆる球離れを早めて余計なスピンの発生を防ぎつつボールの方向安定性を向上しうるとともに、ボールの転がりを向上させる。一方、反発弾性率が小さい第２層及び第３層は、振動吸収効果が大きいため、不快な振動を吸収し、良好な打球フィーリングを維持するのに役立つ。これらの作用は、後述の実施例で明らかとなる。
【００２４】
前記フェースインサート１Ｂの各層８乃至１０に使用される弾性材料としては、例えばアイオノマー樹脂、ウレタン樹脂、ウレタン系エラストマー、ポリエステル系エラストマー若しくはポリアミド系エラストマー等の合成樹脂、又はスチレンブタジエンラバー若しくはブタジエンゴム等のゴム弾性体等が好適である。
【００２５】
前記第１層８のショアＤ硬度ｈ１は、４０°〜７０°が望ましい。即ち、前記硬度ｈ１が４０゜未満になると、ボール打撃時のフェースインサート１Ｂのたわみが大きくなり、ボールの方向性が悪化しやすい。逆に、前記硬度ｈ１が７０゜を超えると、ソフトな打感が得られないおそれがある。とりわけ、第１層８の硬度ｈ１は、より好ましくは４５°以上、さらに好ましくは５０°以上が望ましく、また、より好ましくは６５°以下、さらに好ましくは６０°以下が望ましい。
【００２６】
ここで、弾性材料のショアＤ硬度は、「ＡＳＴＭ−Ｄ ２２４０−６８」の規定に準拠し、ショアＤ型硬度計が取り付けられた自動ゴム硬度測定機（高分子計器社の商品名「Ｐ１」）で測定される。測定には、フェースインサートの層と同じ材料により作製された厚さ２mmのシートが用いられる。該シートは、測定に先立ち、２３℃の温度下に２週間保管され、測定時には、３枚のシートが重ね合わされる。
【００２７】
前記第１層８の反発弾性率ｒ１は  ５０％〜８０％が望ましい。該反発弾性率ｒ１が５０％未満になると、ボールの転がりが悪くなるおそれがある。逆に、前記反発弾性率ｒ１が８０％を超えると、ボールの転がりが過度に向上してしまう他、不快な振動がプレーヤーの手に伝わり易い。とりわけ、前記反発弾性率ｒ１は、より好ましくは５５％以上、さらに好ましくは６０％以上が望ましく、また、より好ましくは７５％以下、さらに好ましくは７０％以下が望ましい。
【００２８】
前記反発弾性率は、「ＪＩＳ Ｋ ６２５５」の規定に準拠して、リュプケ式反発弾性試験（試験温湿度２３℃、５０ＲＨ％）により得られる。測定には、熱プレスで成形された、厚さ２mmかつ直径２８mmの円盤状のスラブが用いられる。測定には、６枚のスラブが重ね合わされる。フェースインサートの各層の弾性材料と同一の組成物からなるスラブが、測定に用いられる。なお、スラブは、予め、２３℃の温度下に２週間保管される。
【００２９】
図３のＸ−Ｘ断面図である図４に示されるように、第１層８の厚さＤ１は、０．３〜３．０mmが望ましい。前記厚さＤ１が小さくなると、十分にソフトな打感が得られないおそれがあり、逆に厚さＤ１が大きくなると、たわむ部分が大きくなり、ボールの方向性が悪化するおそれがある。とりわけ、前記厚さＤ１は、より好ましくは０．５mm以上、さらに好ましくは０．８mm以上が望ましく、また、より好ましくは２．８mm以下、さらに好ましくは２．５mm以下が望ましい。
【００３０】
なお、フェースインサート１Ｂの各層の厚さは、一定ではない場合、最も頻繁にボールと直接的に又は間接的に接触するトウ・ヒール方向の中央領域における最小の厚さとする。
【００３１】
第２層９のショアＤ硬度ｈ２は、上述の通り、第１層８及び第３層１０の硬度ｈ１及びｈ３よりも小さく設定されるが、好ましくは３０〜６０°が望ましい。前記硬度ｈ２が、３０゜未満になると、ボール打撃時の第１層８のたわみを抑えることができず、ボールの方向性が悪化するおそれがあり、逆に６０゜を超えると、ソフトな打感が得られないおそれがある。とりわけ、第２層９のショアＤ硬度ｈ２は、より好ましくは３５°以上、さらに好ましくは４０°以上が望ましく、また、好ましくは５５°以下、より好ましくは５０°以下が望ましい。
【００３２】
第２層９の反発弾性率ｒ２は、２０〜５０％が望ましい。該反発弾性率ｒ２が２０％未満では、ボール打撃時のフェースインサートのたわみが大きくなりすぎて、プレーヤーの手に打感が伝わり難く、距離感が把握しづらくなる。逆に、前記反発弾性率ｒ２が５０％を超えると、打撃時の不快な振動がプレーヤーの手に伝わるおそれがある。とりわけ、第２層９の反発弾性率ｒ２は、より好ましくは２５％以上、さらに好ましくは３０％以上が望ましく、また、より好ましくは４５％以下、さらに好ましくは４０％以下が望ましい。
【００３３】
第２層９の厚さＤ２は０．６〜５．０mmが良い。前記厚さＤ２が０．６mmを下回ると、ソフトな打感が得られないおそれがある。逆に、前記厚さＤ２が５．０mmを超えると、第１層８のたわみを抑えることができず、ボールの方向性が悪化するおそれがある。とりわけ、第２層９の厚さＤ２は、より好ましくは０．８mm以上、さらに好ましくは１．０mm以上が望ましく、また、より好ましくは４．８mm以下、さらに好ましくは４．６mm以下が望ましい。そして、該厚さＤ２は、フェースインサート１Ｂの全体の厚さＤの２０〜３５％であるのが特に望ましい。
【００３４】
第３層１０のショアＤ硬度ｈ３は  ４０〜７０°が望ましい。該硬度ｈ３が４０゜未満になると、ボール打撃時のフェースインサート１Ｂのたわみが大きくなり、ボールの方向性が悪化するおそれがある。逆に、前記硬度ｈ３が７０゜を超えると、ソフトな打感が得られないおそれがある。とりわけ、第３層１０のショアＤ硬度ｈ３は、より好ましくは４５°以上、さらに好ましくは５０°以上が望ましく、また、より好ましくは６５°以下、さらに好ましくは６０°以下が望ましい。
【００３５】
第３層１０の反発弾性率ｒ３は、２０〜５０％が望ましい。該反発弾性率ｒ３が２０％未満になると、フェースインサート１Ｂのたわみが大きくなり、ひいてはプレーヤーの手に打感が伝わり難く距離感が把握しづらくなり、逆に、５０％を超えると、打撃時の振動が十分に吸収されないおそれがある。とりわけ、反発弾性率ｒ３は、より好ましくは２５％以上、さらに好ましくは３０％以上が望ましく、また、より好ましくは４５％以下、さらに好ましくは４０％以下が望ましい。
【００３６】
第３層１０の厚さＤ３は、０．５〜８．０mmが望ましい。前記厚さＤ３が０．５mm未満であると、ソフトな打感が得られないおそれがあり、逆に８．０mmを超えると、ボール打撃時にたわむ部分が大きくなり、著しく打感が柔らかくなるおそれがある。とりわけ、前記第３層１０の厚さＤ３は、好ましくは０．７mm以上、より好ましくは１．０mm以上が望ましく、また、好ましくは７．５mm以下、より好ましくは７．０mm以下が望ましい。
【００３７】
また、図２及び図３から明らかなように、本実施形態のフェースインサート１Ｂの第１層８は、トウ・ヒール方向にのびる板状の基部８Ａと、該基部８Ａの背面から後方にのびる複数本の軸部材１１とを含む。なお、前記厚さＤ１は、この軸部材１１を除いた位置での厚さである。
【００３８】
本実施形態において、前記軸部材１１は、短軸部材１１ａと、該短軸部材１１ａよりも長さが大きい長軸部材１１ｂとからなる。
【００３９】
本実施形態の短軸部材１１ａは、図３、図５から明らかなように、第１層８の背面の上縁側及び下縁側でそれぞれトウ・ヒール方向に間欠的に配された複数本（この例では各４本）からなる。そして、この短軸部材１１ａの長さＬ１は、第２層９の厚さＤ２と実質的に等しく形成されている。
【００４０】
また、本実施形態の長軸部材１１ｂは、図３から明らかなように、第１層８の背面の上下方向の略中間部でそれぞれトウ・ヒール方向に間欠的に配された複数本（この例では４本）からなる。そして、この長軸部材１１ｂの長さＬ２は、第２層９の厚さＤ２と第３層１０の厚さＤ３との和（Ｄ２＋Ｄ３）と実質的に等しく形成されている。
【００４１】
図２に示されるように、本実施形態の第２層９は、板状の基部９ａと、該基部９ａの前面から前方に突出しかつ第１層８の基部８Ａの外周面を連続して覆うフランジ９ｂとから構成されている。このような第２層９は、第１層８の前後方向の振動のみならず、上下及びトウ・ヒール方向の振動も含めて多方向の振動成分を吸収減衰させる点で好ましい。
【００４２】
また、第２層９の基部９ａには、軸部材１１（短軸部材１１ａ及び長軸部材１１ｂ）が挿入される貫通孔からなる孔部１３が形成されている。そして、該孔部１３に各軸部材１１ａ、１１ｂが挿入されることにより、第１層８と第２層９とが強固に一体に接合される。
【００４３】
本実施形態の第３層１０は、板状の基部１０ａと、該基部１０ａの前面かつトウＴ側から前方に突出し第２層９の外周面を覆うトウ側フランジ１０ｂと、前記基部１０ａの前面かつヒールＨ側から前方に突出し第２層９の外周面を覆うヒール側フランジ１０ｃとから構成されている。このような第３層１０も、第１層８及び第２層９のトウ・ヒール方向の振動も含めて多方向の振動成分を吸収減衰させる点で好ましい。
【００４４】
また、第３層１０の基部１０ａには、長軸部材１１ｂのみが挿入される孔部１４が形成されている。そして、該孔部１４に第１層８の長軸部材１１が挿入されることにより、第１層８、第２層９及び第３層が強固に一体接合される。
【００４５】
また、図５に示されるように、フェースインサート１Ｂの上下方向の中央部に配置された長軸部材１１ｂは、金属材料からなるヘッド本体３の底面３ｂに当接する一方、短軸部材１１ａは、第３層１０の前面に接触している。このようなフェースインサート１Ｂは、上下方向に関して、好ましい打撃位置である中間部Ａで打撃したときよりも、上縁側Ｂ又は下縁側Ｃで打撃したときのみかけの全体的な反発弾性率を小さくすることができる。このため、明らかなミスショットの打撃位置である上縁側Ｂや下縁側Ｃでの打撃時のたわみを大きく確保して衝撃吸収性能を高めることもできる。
【００４６】
図６には、フェースインサートの製造方法の一実施形態が示される。
この実施形態では、図６（ａ）に示されるように、先ず、前記軸部材１１を有した第１層８が、例えばインジェクション成形等により作成される。
【００４７】
次に、図６（ｂ）に示されるように、第１層８が、第１金型Ｍ１にセットされる。第１金型Ｍ１は、例えば、第１層８が載置される下型Ｍａと、この下型Ｍａを覆う上型Ｍｂとからなり、上型Ｍｂには、長軸部材１１が挿入可能な孔Ｈが設けられている。そして、下型Ｍａに載置された第１層８の長軸部材１１ｂに孔Ｈを位置合わせして上型Ｍｂを閉じることにより、第１層８の周囲に、第２層９を形成するためのキャビティＣ１が形成される。そして、このキャビティＣ１に、第２層９を構成する組成物が射出される。これにより、第１金型Ｍ１内で、第１層８及び第２層９の一体成形物２０が得られる。
【００４８】
次に、図６（ｃ）に示されるように、第１層８及び第２層９の一体成形物２０が、第２金型Ｍ２にセットされる。第２金型Ｍ２は、例えば、一体成形物２０が載置される下型Ｍａと、この下型Ｍａを覆う上型Ｍｃとからなり、上型Ｍｃにも、長軸部材１１が挿入可能な孔Ｈが設けられている。そして、下型Ｍａに載置された一体成形物２０の長軸部材１１ｂに孔Ｈを位置合わせして上型Ｍｃを閉じることにより、該一体成形物２０の周囲に、第３層１０を形成するためのキャビティＣ２が形成される。そして、このキャビティＣ２に、第３層１０を構成する組成物が射出される。これにより、第１金型Ｍ１内で、第１層８、第２層９及び第３層１０の一体成形物たるフェースインサート１Ｂが得られる。
【００４９】
以上のような製造方法では、第１層８の軸部材１１を基準として、金型（上型Ｍｂ及びＭｃ）の位置決めが容易に行えるため、フェースインサート１Ｂを精度良く成形することができる。
【実施例】
【００５０】
本発明の効果を確認するために、図１に示した基本形状を有するパター型ゴルフクラブヘッドにシャフトを装着して全長３４インチのパター型ゴルフクラブが試作され、その実打テストが行われた。ヘッド本体は、ＳＵＳ６３０の鋳造品とした。また、フェースインサートは、図２に示す基本形状とし、第２層のフランジ部の厚さは１mm、第３層のフランジ部の厚さは最大部分で２mmである。
【００５１】
実打テストは、ＳＲＩスポーツ社製の市販の３ピースゴルフボール（Ｚ−ＵＲ）を用いて、ゴルファー１０名が６ｍのパッティングを５回繰り返すことにより行われた。そして、打球感については、各ゴルファーが、パッティングした時の硬さの程度及び手に伝わる振動をフィーリングに基づいて、下記の基準で評価し、全平均を結果とした。数値が大きいほど打球感が良好であることを示す。
〈打感（硬さ）〉
５点・・・非常にソフト
４点・・・ソフト
３点・・・普通（比較例１を基準）
２点・・・硬い
１点・・・非常に硬い
〈打感（振動）〉
５点・・・手に伝わる振動が非常に小さい
４点・・・手に伝わる振動が小さい
３点・・・普通（比較例１を基準）
２点・・・手に伝わる振動が大きい
１点・・・手に伝わる振動が非常に大きい
【００５２】
また、図７に示されるように、ボールの打ち出し位置Ｐ１と目標位置Ｐ２とを結ぶ縦ラインＮからボールの停止位置Ｐ３までの横ズレ量ｂ、及び前記目標位置Ｐ２を通り且つ前記縦ラインＮと直交する横ラインＭからボールの停止位置Ｐ３までの縦ズレ量ａが測定された。評価は、各横ズレ量ｂ及び縦ズレ量ａについての１０名の平均である平均横ズレ量及び平均縦ズレ量が計算され、各々、比較例１を１とする指数で表示されている。数値が大きほどズレ量が大きく性能が悪いことを意味している。テスト結果などは、表１に示される。
【００５３】
【表１】
0005508227.tif 000002
【００５４】
また、表１中のフェースインサートの材料についての記号は次の通りである。
ＰＥＢＡＸ：
ポリエーテルブロックアミド（製造メーカー：アルケマ（Arkema）社）
ＴＰＵ：
熱可塑性ウレタン樹脂（製品名：エラストラン１１ＴＹＰＥ、ＢＡＳＦ社製）
【００５５】
テストの結果、実施例のパター型ゴルフクラブは、ズレ量が小さく、ボールの転がり距離や方向を高いレベルに維持していることが確認された。また、打球感についても、良好な結果が得られた。
【符号の説明】
【００５６】
１  パター型ゴルフクラブヘッド
１Ａ  ヘッド本体
１Ｂ  フェースインサート
２  フェース
３  凹部
８  第１層
９  第２層
１０  第３層
１１  軸部材
【図１】
0005508227.tif 000003
【図２】
0005508227.tif 000004
【図３】
0005508227.tif 000005
【図４】
0005508227.tif 000006
【図５】
0005508227.tif 000007
【図６】
0005508227.tif 000008
【図７】
0005508227.tif 000009